(57)【要約】【課題】ＳＯＩに対するコンテンツの連結拡張性を高めることのできる、ＳＯＩとコンテンツの複合客体生成装置及びその方法を提供する【解決手段】ＳＯＩ（Ｓｐａｃｅ  ｏｆ  Ｉｎｔｅｒｓｔ）と関連する組合せ情報を提供するナビゲーションデバイスが開示される。このナビゲーションデバイスは、使用者からひとつのＳＯＩを選択する入力を受信する入力部；入力に基づき選択されたＳＯＩに対する組合せ情報を要請する制御部；制御部の要請に従い、ＳＯＩと関連する組合せ情報構造からＳＯＩと組み合わせられた客体情報を収集する組合せ情報処理部；使用者に組合せ情報をディスプレイする表示部を含み、組合せ情報構造は少なくとも一つの関係客体に連結された最上位客体、コンテンツ客体またはＳＯＩ客体を含む下位客体、及び最下位客体を含み、関係客体は関係客体を用いて連結される少なくとも二つ以上の客体に対する関係を定義する関係情報及び両方向性連結のための識別子情報を含む。【選択図】図１
2013156988.tif 000002
【特許請求の範囲】
【請求項１】
ＳＯＩ（Ｓｐａｃｅ  ｏｆ  Ｉｎｔｅｒｅｓｔ）と関連する組合せ情報を提供するデバイスにおいて、
使用者からひとつのＳＯＩを選択する入力を受信する入力部と、
前記入力に基づき前記選択されたＳＯＩに対する組合せ情報を要請する制御部と、
前記制御部の要請に従い、前記ＳＯＩと関連する組合せ情報の構造から前記ＳＯＩと組み合わせられた客体情報を収集する組合せ情報処理部と、
前記使用者に前記組合せ情報をディスプレイする表示部と、を含み、
前記組合せ情報の構造は少なくとも一つの関係客体に連結された最上位客体、コンテンツ客体またはＳＯＩ客体を含む下位客体、及び最下位客体を含み、前記関係客体は前記関係客体を用いて連結される少なくとも二つ以上の客体に対する関係を定義する関係情報及び両方向性の連結のための識別子情報を含むことを特徴とするデバイス。
【請求項２】
前記最上位客体は、前記最上位客体の下位構造に該当するコンテンツを含むテーマ客体であり、前記最下位客体はＳＯＩ客体であることを特徴とする請求項１に記載のデバイス。
【請求項３】
前記制御部は、前記組合せ情報と前記選択されたＳＯＩに対する基本情報及びＳＯＩに対する付加属性が共にディスプレイされるよう表示部を制御することを特徴とする請求項１に記載のデバイス。
【請求項４】
前記入力部に使用者により前記組合せ情報を選択する入力が受信されれば、前記組合せ情報処理部は前記ＳＯＩと組み合わせられた少なくともひとつの最上位客体の目録を提供することを特徴とする請求項３に記載のデバイス。
【請求項５】
前記入力部に使用者により前記最上位客体の目録のうち少なくともひとつの最上位客体を選択する入力が受信されれば、前記組合せ情報処理部は前記組合せ情報構造で前記選択された最上位客体の下位客体の目録を提供することを特徴とする請求項４に記載のデバイス。
【請求項６】
前記下位客体の目録は本文コンテンツ客体の他に追加に導入コンテンツ客体または結論コンテンツ客体を含むことを特徴とする請求項５に記載のデバイス。
【請求項７】
前記下位客体の目録は、少なくともひとつのコンテンツと少なくともひとつのＳＯＩを含み、
前記入力部に前記ひとつのＳＯＩを選択する入力が受信されれば、前記組合せ情報処理部は前記選択された一つのＳＯＩに関連する基本情報、付加属性及び組合せ情報を提供することを特徴とする請求項５に記載のデバイス。
【請求項８】
少なくともひとつの関係客体に連結された最上位客体、コンテンツ客体またはＳＯＩ（Ｓｐａｃｅ  ｏｆ  Ｉｎｔｅｒｅｓｔ）客体を含む下位客体、及び最下位客体を含む組合せ情報構造を有する組合せ情報を生成する装置において、
前記最上位客体を設定する主題生成部と、
前記最上位客体、前記コンテンツ客体、及び前記ＳＯＩ客体のうち少なくとも二つの客体を連結する関係を編集する関係編集部と、
前記関係編集部により編集された関係情報、関係と関連する前記少なくとも二つの客体に対する情報、前記少なくとも二つの客体との間の両方向性連結のための識別情報を含む関係客体を確定する関係確定部と、を含み、
前記関係編集部は、前記少なくとも二つの客体と間接的に連結されることのできる客体に対する情報を承継する関係客体承継部を含むことを特徴とする組合せ情報生成装置。
【請求項９】
前記関係編集部は関係客体選択部を含み、
前記関係客体選択部は、使用者から関係客体を選択する入力が受信されれば、前記選択された関係客体に連結された全ての客体に対する組合せ情報編集を行うことを特徴とする請求項８に記載の組合せ情報生成装置。
【請求項１０】
前記関係編集部は、関係客体生成部を含み、
前記関係客体生成部は、使用者から第１客体と第２客体との間の新たな関係客体を生成する入力を受信すれば、前記生成された関係客体に連結された全ての客体に対する組合せ情報の編集を行うことを特徴とする請求項８又は９に記載の組合せ情報生成装置。
【請求項１１】
前記関係編集部は、使用者から少なくともひとつの関係客体を選択する入力と、少なくともひとつの新規関係客体を生成する入力とを共に受信すれば、前記選択された関係客体及び前記生成された関係客体に連結された全ての客体に対する組合せ情報の編集を行うことを特徴とする請求項１０に記載の組合せ情報生成装置。
【請求項１２】
前記関係編集部はＳＯＩ生成部を含み、
前記ＳＯＩ生成部は、前記関係客体により連結された全ての客体がＳＯＩ客体であるか否かを判断し、前記全ての客体がＳＯＩ客体である場合、前記全ての客体を含む新規ＳＯＩ客体を生成することを特徴とする請求項１０に記載の組合せ情報生成装置。
【請求項１３】
前記関係確定部は、前記関係客体をして追加に前記関係の生成時間に対する情報を含むようにすることを特徴とする請求項８に記載の組合せ情報生成装置。
【発明の詳細な説明】
【技術分野】
【０００１】
本発明は、ＳＯＩとコンテンツの組合せ情報生成装置及びその方法に係り、具体的には位置情報、形状情報、及び識別子情報を含む少なくともひとつのＳＯＩ（Ｓｐａｃｅ  ｏｆ  Ｉｎｔｅｒｅｓｔ）、少なくともひとつのコンテンツ、及びコンテンツとコンテンツ及び／又はコンテンツとＳＯＩとの間の関係情報を有する関係客体を用いて構成される組合せ情報を生成／提供する装置及びその方法に関する。
【背景技術】
【０００２】
情報は破片的に伝達されるときよりストーリーを有して伝達されるとき波及力を有する。ストーリーが場所と結合すれば、ストーリーは使用者の直接的な行動に繋がることができる。従来のＰＯＩ（Ｐｏｉｎｔ  ｏｆ  Ｉｎｔｅｒｅｓｔ）を用いた関係情報生成装置は、単に特定ＰＯＩ地点と、それに相応する詳細情報が含まれたウェブサイトをリンクさせて関係情報を生成した。しかし、これはあくまでもＰＯＩに基づいた技術であり、ＳＯＩに基づいた新しい概念の関係情報の生成方案が要求される。
【先行技術文献】
【特許文献】
【０００３】
【特許文献１】特開２０１０−１４６１７３号公報
【発明の概要】
【発明が解決しようとする課題】
【０００４】
本発明はＳＯＩ（Ｓｐａｃｅ  ｏｆ  Ｉｎｔｅｒｅｓｔ）、コンテンツ、及びその関係客体を含むか、または他のＳＯＩとの第１関係情報を有する一コンテンツとの間の第２関係情報を生成することにより、ＳＯＩに対するコンテンツの連結拡張性を高めることのできる、ＳＯＩとコンテンツの複合客体生成装置及びその方法を提供することにその目的がある。
【０００５】
また、関係客体を用いてＳＯＩとコンテンツとの間の組合せ情報を関係基盤にして容易に編集することができるようにし、組合せ情報に基づきナビゲーションデバイスを用いる使用者にＳＯＩと関連する（組み合わせられた）情報を直感的に提供し、多様な拡張を可能とさせることができる。
【０００６】
本発明の目的は、以上で言及した目的に制限されず、言及されていない本発明の他の目的及び長所らは下記の説明により理解することができ、本発明の実施例により、より明らかになる。また、本発明の目的及び長所は、特許請求範囲に示した手段及びその組み合わせにより実現できる。
【課題を解決するための手段】
【０００７】
前記のような課題を解決するための本発明の一実施例に基づくＳＯＩ（Ｓｐａｃｅ  ｏｆ  Ｉｎｔｅｒｅｓｔ）と関連する組合せ情報を提供するナビゲーションデバイスは、使用者からひとつのＳＯＩを選択する入力を受信する入力部；前記入力に基づき前記選択されたＳＯＩに対する組合せ情報を要請する制御部；前記制御部の要請に従い、前記ＳＯＩと関連する組合せ情報の構造から前記ＳＯＩと組み合わせられた客体情報を収集する組合せ情報処理部；前記使用者に前記組合せ情報をディスプレイする表示部を含み、前記組合せ情報構造は、少なくとも一つの関係客体に連結された最上位客体、コンテンツ客体またはＳＯＩ客体を含む下位客体、及び最下位客体を含み、前記関係客体は前記関係客体を用いて連結される少なくとも二つ以上の客体に対する関係を定義する関係情報及び両方向性連結のための識別子情報を含むことを特徴とする。
【０００８】
また、前記目的に基づいた本発明の他の実施例に基づく、最上位客体、コンテンツ客体またはＳＯＩ（Ｓｐａｃｅ  ｏｆ  Ｉｎｔｅｒｅｓｔ）客体を含む下位客体、及び最下位客体を含む組合せ情報構造を有する組合せ情報を生成する装置は、前記最上位客体を設定する主題生成部；前記最上位客体、前記コンテンツ客体及び前記ＳＯＩ客体のうち少なくとも二つの客体を連結する関係を編集する関係編集部；及び前記関係編集部により編集された関係情報、関係と関連する前記少なくとも二つの客体に対する情報、前記少なくとも二つの客体の間の両方向性連結のための識別情報を含む関係客体を確定する関係確定部を含み、前記関係編集部は前記少なくとも二つの客体と間接的に連結されることのできる客体に対する情報を承継する関係客体承継部を含むことを特徴とする。その他、多様な課題解決手段が詳細な説明または請求項に提示されている。
【発明の効果】
【０００９】
本発明によれば、位置情報と形状情報及び識別子情報を含む一ＳＯＩ（Ｓｐａｃｅ  ｏｆ  Ｉｎｔｅｒｅｓｔ）と、他コンテンツまたは他ＳＯＩとの第１関係情報を有する一コンテンツとの間の第２関係情報を生成することにより、ＳＯＩに対するコンテンツの連結拡張性を高めることができる効果がある。また、ナビゲーションデバイスの使用者をして、ＳＯＩと関連するコンテンツ及び他のＳＯＩに対し容易に接近できるようにする効果がある。さらに、関係客体を用いて組合せ情報を編集できるようにすることにより、一々客体を選択して編集する場合に比べ、関係基盤の便利な編集方法を提供することができる。
【図面の簡単な説明】
【００１０】
【図１】本発明の一実施例に基づくＳＯＩ生成装置の構造を示す図である。
【図２】本発明の一実施例に基づくデバイスの構造を示す図である。
【図３】従来のＷＥＢを構成する連結と本発明の組合せ情報で用いられる連結の特徴を示す図である。
【図４】組合せ情報構造の一例示を示す図である。
【図５】組合せ情報構造の他の例示を示す図である。
【図６】本発明の一実施例に基づく組合せ情報生成装置の構造を示す図である。
【図７】本発明の一実施例に基づく組合せ情報の生成方法を示す流れ図である。
【図８】組合せ情報の文書化された構造を示す図である。
【図９】組合せ情報の本文段階の拡張を示す図である。
【図１０】組合せ情報の小主題段階の拡張を示す図である。
【図１１】関係客体を用いて組合せ情報を編集する概念図である。
【図１２】本発明の他の実施例に基づく組合せ情報の生成装置を示す図である。
【図１３】デバイスで組合せ情報を提供する例示的な方法を示す図である。
【発明を実施するための形態】
【００１１】
上述した目的、特徴及び長所は、図を参照した後述の詳細な説明により明確になる。それにより、本発明の属する技術分野の通常の知識を有する者が、本発明の技術的思想を容易に実施することができる。また、本発明を説明するにあたり、本発明に関連する公知技術に対する具体的な説明が、本発明の要旨から離れると判断される場合は、その詳細な説明を省略する。以下、図を参照し、本発明に基づく望ましい実施例を詳しく説明する。
【００１２】
図１は、本発明の一実施例に基づくＳＯＩ生成装置１００の構造を示す図である。図１を参照すれば、ＳＯＩ生成装置１００は大きく位置情報生成部１１０、形状情報生成部１２０、識別子情報生成部１３０を含む。位置情報生成部１１０は、地図上に位置情報、ＳＯＩ構造情報、ＳＯＩ組合情報等を生成し、形状情報生成部１２０は前記位置情報上に点、線（経路）、領域情報または建物情報等の形状情報を生成し、識別子情報生成部１３０は、それぞれのＳＯＩを区分するための識別子情報を生成し、生成された識別子情報をそれぞれＳＯＩに与える。
【００１３】
ここで、位置情報生成部１１０は位置情報を生成し、位置情報に対するＳＯＩらを生成して管理する。また、位置情報生成部１１０はＳＯＩらが構造を有するように生成される場合、構造情報を管理し、ＳＯＩらの構造が組み合わせられる場合、組合せ情報を管理する。
【００１４】
このような位置情報生成部１１０は、ひとつのＳＯＩを生成及び管理するための単位構造生成部１１１、複数のＳＯＩらがひとつのＳＯＩに含まれるようにＳＯＩらの垂直構造を生成及び管理するための垂直構造生成部１１２、複数のＳＯＩらが並列的に連結されるようＳＯＩらの水平構造を生成及び管理するための水平構造生成部１１３、ひとつのＳＯＩ内で複数のＳＯＩらが層を成すようＳＯＩらの層位構造を生成及び管理するための層位構造生成部１１４を含む。
【００１５】
垂直構造生成部１１２は、ひとつの位置情報内で少なくともひとつの他の位置情報らが含まれるように、即ちひとつのＳＯＩ内に少なくともひとつの下位ＳＯＩが位置されるようＳＯＩらを垂直構造に生成する。例えば、Ａ領域内に建物１と建物２が含まれるようＳＯＩを生成することができる。即ち、Ａ領域は上位ＳＯＩとして生成され、建物１及び建物２は上位ＳＯＩの下位ＳＯＩとしてそれぞれ管理される。
【００１６】
水平構造生成部１１３は、複数のＳＯＩが階層なく水平的に位置するようＳＯＩらを水平構造に生成する。例えば、領域Ｂ、建物１、及び建物２が互いに水平的に連結されるようＳＯＩを生成することができる。即ち、領域Ｂ、建物１、及び建物２はそれぞれのＳＯＩとして生成され、互いに連結されるように管理される。
【００１７】
層位構造生成部１１４は、ひとつの領域や建物内に複数の層（ｆｌｏｏｒ）を含むことができるよう、即ち、ひとつのＳＯＩ内に複数のＳＯＩが層を成すようにＳＯＩらを生成及び管理する。例えば、ひとつの建物内に複数のＳＯＩが層を成すようＳＯＩを生成することができる。即ち、ひとつの建物は上位ＳＯＩとして生成され、各層は上位ＳＯＩの下位ＳＯＩとして区分され、各ＳＯＩらは別途管理される。
【００１８】
形状情報生成部１２０は、位置情報上に点、線、領域情報または建物情報等の実質的なイメージである形状情報を生成し、前記形状情報をＳＯＩ単位で管理する。例えば、前記領域をＳＯＩ単位でイメージ化し、前記領域内に建物をＳＯＩ単位でイメージ化し、前記建物内の構成をＳＯＩ単位でイメージ化することができる。
【００１９】
識別子情報生成部１３０は、前記位置情報生成部１１０により各構造に従い生成されたＳＯＩに識別子情報を生成及び管理する。識別子情報生成部１３０は、ひとつのＳＯＩが生成されれば、生成されたＳＯＩに対応するＳＯＩ識別子を与えてＳＯＩ単位で情報を管理できるようにする。このように生成されたＳＯＩ情報は、後述する例示らで多様に活用されることができる。
【００２０】
図２は、本発明の一実施例に基づくデバイスの構造を示す図である。図２を参照すれば、デバイス２００はデバイスを全体的に統制する制御部２１０、使用者に制御部の処理結果をディスプレイする表示部２２０、使用者から入力を受信する受信部２３０、組合せ情報を処理する組合せ情報処理部２４０、組合せ情報を生成する組合せ情報生成部２５０、ＳＯＩ生成部２６０を含むことができる。
【００２１】
デバイス２００は、車両に装着され経路案内サービスを提供する通常のナビゲーションに制限されない。使用者にナビゲーションサービス、または地図（ｍａｐｐｉｎｇ）サービスを提供できるデバイスは、本明細書で記述するデバイス２００に該当し得る。具体的に、スマートフォン（Ｓｍａｒｔｐｈｏｎｅ）のようなモバイルデバイス（ｍｏｂｉｌｅ  ｄｅｖｉｃｅ）、タブレット（Ｔａｂｌｅｔ）、ＰＤＡ、ＷＡＬＬＰＡＤ、Ｎ−ＳＣＲＥＥＮ、及び車両に搭載されたテレマティクス／ＨＵＤだけでなく、ノートパソコン、デスクトップＰＣ等も該当され得る。
【００２２】
タッチ入力基盤のディスプレイを有するデバイス２００の場合、表示部２２０と受信部２３０は使用者に同一の形で提供され得る。但し、デバイス２００の内部で処理結果を表示する作業と使用者入力を処理する作業は別個の構成要素により行われ得る。組合せ情報及びその構造に対しても図３、図４及び図５を参照して詳細に後述する。
【００２３】
デバイス２００が必ず組合せ情報生成部２５０とＳＯＩ生成部２６０（ＳＯＩ生成部２６０は、前述したＳＯＩ生成装置１００に対応する構造を有することができる）を含まなければならないのではない。デバイス２００は、その構成により前記生成部らを含まないこともあり得、この場合、デバイス２００は組合せ情報とＳＯＩ情報を有線または無線で連結された外部デバイス（ｅ．ｇ．，サーバー）から送受信部（図示省略）を介して受信することができる。さらに、情報提供が必要であるか、または使用者入力が伝送されなければならない必要がある場合、送受信部を介して外部デバイスに当該情報／入力を伝送することができる。もちろん、保存部、ＧＰＳ受信部、加速センサー、慣性センサー等のように、一般に広く用いられている構成は本デバイス２００に自由に追加／除去されることができる。
【００２４】
組合せ情報処理部２４０は、制御部からＳＯＩに対する組合せ情報に対する要請を受信すれば、組合せ情報構造からＳＯＩと組み合わせられている客体らに対する情報を収集する。この客体らはコンテンツ客体またはＳＯＩ客体になることができる。さらに、後述する関係客体に対する情報と共に収集されることができる。このように収集された情報を処理して表示部２２０にディスプレイされるように提供する。
【００２５】
図３は、従来のＷＥＢを構成する連結と本発明の組合せ情報で用いられる連結の特徴を示す図である。図３を参照する前に、客体（ｏｂｊｅｃｔ）に対して説明する。本明細書で客体（ｏｂｊｅｃｔ）というと、使用者、デバイス、またはデバイスの構成要素が生成、編集、処理、管理できる対象を意味する。前述したＳＯＩやＳＯＩと関連するコンテンツ（Ｃｏｎｔｅｎｔｓ  ｏｆ  ＳＯＩ、ＣＯＳ）、或いは別個存在するコンテンツは客体に該当する。また、コンテンツまたはＳＯＩを分類するためのカテゴリ或いはテーマ、主題のような概念も客体として管理されることができる。さらに、本発明では、客体と客体を連結する関係もまたひとつの客体、即ち関係客体として管理する。即ち、関係客体はＳＯＩ−ＳＯＩ、ＳＯＩ−コンテンツ、またはコンテンツ−コンテンツとの間の関係を定義する関係情報を含むひとつの客体として定義され得る。この関係客体は、前記関係情報の他、関係客体、それ自体または関係客体と連関するＳＯＩ／コンテンツを識別するための識別子情報を含むことができる。
【００２６】
再度図３を参照すれば、従来のＷＥＢ（Ｗｏｒｌｄ  Ｗｉｄｅ  ＷＥＢ）環境で客体と客体はＵＲＬ（Ｕｎｉｆｏｒｍ  Ｒｅｓｏｕｒｃｅ  Ｌｏｃａｔｏｒ）とのリンク（ｌｉｎｋ）で繋がる。ＷＥＢ環境での客体は、ひとつのウェブページ、イメージ、動画、フラッシュ（ｆｌａｓｈ  ｆｉｌｅ）またはその他のＵＲＬで連結可能な全ての客体であり得る。
【００２７】
ＷＥＢ環境で、第１ページ３１０と第２ページ３２０との間の連結は単方向性の特性を有する。第１ページ３１０はＵＲＬ情報３０１を含み、このＵＲＬ情報３０１に基づき第２ページ３２０に繋げられ得る。しかし、一般に第２ページ３２０はＵＲＬ情報３０１を有していないため第１ページ３１０への連結を提供しない。（第２ページ３２０が第１ページ３１０に連結されるリンク（ＵＲＬ）を含んでいるとしても、これは単方向性特性の特殊な場合であるだけで、ＷＥＢ環境での連結が両方向性を有することになるものではない。）
【００２８】
本発明で提示する組合せ情報構造では、第１客体３３０と第２客体３４０との間の連結が両方向性の特性を有する。二つの客体は関係客体３０２に連結され（参考に、二つの客体は一つ以上の関係客体で連結されることもあり得る）、関係客体は両方向性のための識別情報（ＩＤ）を含むことができる。両方向性の特性により、第１客体３３０、第２客体３４０のような一般客体（一般客体は関係客体とは区別される。関係客体と異なり一般客体は二つ以上の客体の間の関係に対する情報を含まない）は、ひとつの客体に接近することができれば、その客体と関連する（関係客体に繋がる連結構造を有する）全ての客体に接近することができる。
【００２９】
図４は、組合せ情報の構造の一例示を示す図である。図４を参照すれば、最上位客体は組合せ情報のテーマ、カテゴリ、主題等になり得る。以下では便宜上テーマ、或いはテーマ客体と表現する。
【００３０】
下位客体はコンテンツまたはＳＯＩがなり得る。例えば、現代自動車をテーマとする組合せ情報の場合（即ち、最上位客体が「現代自動車」となる）、コンテンツとしては現代自動車の沿革、現代自動車関連の最新ニュース、現代自動車の車種、新車情報、現代自動車の協力企業、Ａ／Ｓ情報等になり得、ＳＯＩとしては現代自動車の本社位置ＳＯＩ、支店位置ＳＯＩ、研究所位置ＳＯＩ、海外支社の位置ＳＯＩ等になり得る。
【００３１】
下位客体は、さらに下位客体を生成することができる。例えば、コンテンツ客体「Ａ／Ｓ情報」はＡ／Ｓを提供する支店の位置ＳＯＩを下位客体として有することができる。ただ、組合せ情報構造で最後の段に位置する客体は必ずＳＯＩを客体として有する。言い換えると、組合せ情報構造で、最上位客体を除き、他の客体との関係客体がもっぱらひとつである客体（いわゆる最下位客体）は必ずＳＯＩ客体でなければならない。
【００３２】
組合せ情報構造の両方向性により、全てのＳＯＩはテーマ１（ｔｈｅｍｅ  １）に接近することができる。また、全てのＳＯＩは全てのコンテンツ（ｃｏｎｔｅｎｔ、図４の場合は３個）に接近することができ、全ての異なるＳＯＩ（図４の場合は３個）にも接近することができる。このような特性を介しナビゲーションデバイス２００が特定ＳＯＩに対する情報を要請する使用者入力を受信すれば、当該ＳＯＩとテーマが直接連結されていない場合でも（もちろん、ＳＯＩとテーマが直接連結されることも可能である。このような例は図５に図示されている。）、当該ＳＯＩと関連するテーマ情報を提供し、そこから階層構造に従ってコンテンツ情報／ＳＯＩ情報を提供することができる。
【００３３】
図５は組合せ情報構造の他の例示を示す図である。参考に図５ではこれ以上ツリー構造が維持されない。さらに、このような客体間の複合的な構造は、図の表現方式にかかわらず、３次元で存在することもあり得る。図５を参照すれば、図５に示された特定ＳＯＩ５０１は、合計３個のテーマ（ｔｈｅｍｅ  １，ｔｈｅｍｅ２、ｔｈｅｍｅ３）に接近することができる。従って、特定ＳＯＩ５０１に対する情報を要請される場合、ナビゲーションデバイス２００または組合せ情報処理部２４０は特定ＳＯＩ５０１と関連するテーマを抽出して使用者に提供することができる。
【００３４】
反面、特定ＳＯＩ５０１とは異なるＳＯＩ５０２を選択した場合、前記他のＳＯＩ５０２と関連して提供されるテーマはひとつ（即ち、ｔｈｅｍｅ１）のみ存在することができる。即ち、ＳＯＩと関係して提供されるテーマは、当該ＳＯＩ５０２を始点にして最上位客体または最下位客体との間の関係を対象範囲にして決定され得る。しかし、実施例によっては、このような制限を設けないこともあり得、第Ｎ回目の最上位客体までの範囲に制限することができる。図５を参照すれば、ＳＯＩ５０２を基準とするとき、ｔｈｅｍｅ１はＳＯＩ５０２を始点にして到達できる最初の最上位客体であり、ｔｈｅｍｅ２とｔｈｅｍｅ３は全てＳＯＩ５０２を始点にして到達できる二番目の最上位客体となる。（若し、ｔｈｅｍｅ２またはｔｈｅｍｅ３で連結される他のｔｈｅｍｅがある場合、当該ｔｈｅｍｅは三番目の最上位客体となることができる）。
【００３５】
このような構造を有する組合せ情報は、デバイス２００で生成または編集されることができる。しかし、デバイス２００の仕様等の理由により、組合せ情報の生成はサービス提供者のサーバーのような外部デバイスで行われることもあり得る。図６及び図７を参照して組合せ情報の生成に対して説明する。
【００３６】
図６は、本発明の一実施例に基づく組合せ情報生成装置の構造を示す図である。組合せ情報生成装置６００は、図２に示されたデバイス２００の組合せ情報生成部２５０とその構成が対応され得る。図６を参照すれば、組合せ情報生成装置６００は、ＳＯＩ保存部６１０、下位コンテンツ保存部６２０、最上位客体生成部６３０、下位コンテンツ生成部６４０、及び関係情報生成部６５０を含む。
【００３７】
前記各構成要素らに対して見れば、先ず、ＳＯＩ保存部６１０は位置情報と形状情報及び識別子情報を含む空間に対する情報（以下、ＳＯＩ）を保存する。即ち、ＳＯＩ保存部６１０は、複数のＳＯＩを保存している。ＳＯＩは図１と関連して前述したＳＯＩ生成装置１００、図２と関連して前述したデバイス２００のＳＯＩ生成部２６０により生成されたものであり得る。
【００３８】
下位コンテンツ保存部６２０は、ブログ、ニュース、商品、イベント、広告等のようにテキスト、イメージ、動画またはテキスト、イメージ、動画の組み合わせでなされた多様な下位コンテンツを保存する。ここで、下位コンテンツは、最上位客体生成部６３０が生成したテーマの下位に組み合わせられる全てのコンテンツを意味する。その際、各下位コンテンツは少なくともひとつ以上の他の下位コンテンツまたはＳＯＩとの関係情報を含んでおり、一コンテンツを介し他のコンテンツまたはＳＯＩとの連結が可能である。この関係情報は関係客体に含まれ、前記連結が関係客体によりなされ両方位構成を有することは前述した。
【００３９】
最上位客体生成部６３０は、使用者からの要請に従い複合客体のテーマ情報を含む最上位コンテンツを生成する。下位コンテンツ生成部６４０は、使用者からの要請に従い下位コンテンツを生成する。関係情報生成部６５０は、最上位客体生成部６３０で生成された最上位コンテンツ、即ちテーマと下位コンテンツ生成部６４０で生成された下位コンテンツとの間の関係情報を生成する。また、関係情報生成部６５０は、使用者から要請を受ける下位コンテンツを下位コンテンツ保存部６２０で検索し、併せて前記使用者から要請を受けたＳＯＩをＳＯＩ保存部６１０で検索する。その後、関係情報生成部６５０は、最上位客体生成部６３０で生成された最上位コンテンツと前記検索された下位コンテンツとの間の関係情報を生成する。さらに、関係情報生成部６５０は、最上位客体生成部６３０で生成された最上位コンテンツと前記検索されたＳＯＩとの間の関係情報を生成することもできる。
【００４０】
もちろん、関係情報生成部６５０は最上位客体生成部６３０で生成された最上位コンテンツと下位コンテンツ生成部６４０で生成された下位コンテンツとの間の第１関係情報を生成し、最上位客体生成部６３０で生成された最上位コンテンツと前記検索されたＳＯＩとの間の第２関係情報を生成することもできる。併せて、関係情報生成部６５０は、最上位客体生成部６３０で生成された最上位コンテンツと前記検索された下位コンテンツとの間の第１関係情報を生成し、最上位コンテンツ生成部６３０で生成された最上位コンテンツと前記検索されたＳＯＩとの間の第２関係情報を生成することもできる。
【００４１】
さらに、関係情報生成部６５０は、最上位客体生成部６３０で生成された最上位コンテンツの下位に組み合わせられる（１次）下位コンテンツを中心に、さらに組み合わせられる（２次）他の下位コンテンツまたはＳＯＩとの間の関係情報を生成することもできる。
さらに、関係情報生成部６５０は、最上位コンテンツ生成部６３０で生成された最上位コンテンツの下位に組み合わせられるＳＯＩを中心に、さらに組み合わせられる下位コンテンツまたは他のＳＯＩとの間の関係情報を生成することもできる。
【００４２】
一方、関係情報生成部６５０は、使用者からの要請に従い関係情報の題目及びその説明を変更することもできる。
付加的に、最上位客体生成部６３０、下位コンテンツ生成部６４０、及び関係情報生成部６５０は、ナビゲーションデバイス２００の入力部または表示部を介し使用者にインターフェイスを提供することができる。
【００４３】
参考に、入力部は使用者から目録上から特定ＳＯＩまたは特定コンテンツの選択を受けることもあり得、使用者から電子地図上で特定ＳＯＩまたは特定コンテンツの選択を受けることもあり得、使用者からキー入力を介し特定ＳＯＩまたは特定コンテンツの選択を受けることもあり得る。
また、入力部は使用者から関係順序、時間属性、コンテンツに対する説明等のような情報の入力を受けることもできる。このように入力された情報らは、関係情報生成部６５０により関係情報に含まれることもできる。
【００４４】
図７は、本発明の一実施例に基づく組合せ情報の生成方法を示す流れ図である。先ず、ＳＯＩ保存部６１０は、位置情報と形状情報及び識別子情報を含む空間に対する情報（以下、ＳＯＩ）を保存し（７０１）、下位コンテンツ保存部６２０は複数の下位コンテンツを保存する（７０２）。その後、最上位客体生成部６３０は最上位コンテンツ、即ちテーマ客体を生成する（７０３）。その次に下位コンテンツ生成部６４０は使用者の要請に従う下位コンテンツを生成する（７０４）。
【００４５】
その後、関係情報生成部６５０は、使用者から要請を受けた下位コンテンツ及びＳＯＩを前記下位コンテンツ保存手段及び前記ＳＯＩ保存手段で検索し（７０５）、最上位客体生成部６３０で生成されたテーマ客体と、前記検索されたか生成された下位コンテンツとの間の第１関係情報を生成する（７０６）。
そして、関係情報生成部６５０は、下位コンテンツ生成部６４０で生成された前記下位コンテンツと前記検索されたＳＯＩとの間の第２関係情報を生成する（７０７）。
【００４６】
流れ図には図示していないが、関係情報生成部６５０がコンテンツとコンテンツとの間の第３関係情報、またはＳＯＩとＳＯＩとの間の第４関係情報を生成することもまた可能であり、このような過程を通じてＳＯＩに対するコンテンツの連結拡張性を高めることができる。
【００４７】
図８は、組合せ情報の文書化された構造を示す図である。図８を参照すれば、このような構造の組合せ情報は主題部８１０を含み、主題部は下位階層構造として導入部８１２、本文８１４、結論８１６を含む。主題部８１０は題目、副題、テーマ（ｔｈｅｍｅ）、カテゴリ（ｃａｔｅｇｏｒｙ）、期間（ｓｅａｓｏｎ）のようなものであり、前述した最上位客体に該当する。導入部８１２と結論部８１６は本文８１４の提供前／後または上／下段に配置するためのものであり、必ず主題部８１０に含まれなければならないものではなく、選択的に提供されることができる。
【００４８】
本文８１４は、コンテンツ−関係客体−ＳＯＩの連結構造を含むことができる。言い換えれば、コンテンツ客体、ＳＯＩ客体、及び両客体の関係情報を含む関係客体構造が本文８１４に含まれることができる。本文８１４のコンテンツは関係情報を用いて関連するＳＯＩへの連結を提供することができる（前述したように、いわゆる最下位客体は必ずＳＯＩになる）。
【００４９】
本文８１４は、小主題＃１  ８２１、小主題＃２  ８２２のような下位階層構造を含むことができる。これに対しては、図９及び図１０を参照して詳しく説明する。
【００５０】
図９は組合せ情報の本文段階拡張を示す図である。図９を参照すれば、主題部８１０に該当する最上位客体は関係客体Ｒ１  ９０１を参照して関係した導入部８１２、本文８１４、結論部８１６の下位階層構造に拡張されることができる。その際、関係客体に含まれた識別子（ＩＤ）のような識別情報が用いられ、この識別情報は両方向性の特徴を有する。本文８１４は、再度関係客体Ｒ２  ９０２を参照して本文８１４と関連するコンテンツ及び小主題の下位階層構造に拡張することができる。
【００５１】
図１０は、組合せ情報の小主題段階拡張を示す図である。図１０を参照すれば、小主題＃１  ８２１は再度関係客体Ｒ３  ９０３を参照して小主題導入／本文／結論の下位階層に拡張されることができ、小主題の本文は再度関係客体Ｒ４  ９０４を用いて繰り返して拡張されることができる。
【００５２】
図１１は、関係客体を用いて組合せ情報を編集する概念図である。便宜上、図示された客体に対しコンテンツまたはＳＯＩの区分なく単に「客体」と通称する。関係客体を用いて組合せ情報を編集する最初の方法は、既存の関係選択を介して組合せ情報を構成することである。図１１を参照すれば、関係客体Ｒ１を選択する場合、ｃｏｅｘ  ｍａｌｌ１１０１、Ａｒｔｉｕｍ１１０２、Ａｒｔ  Ｈａｌｌ１１０３、Ｍｅｇａｂｏｘ１１０４客体が全て選択される。これは編集しようとする客体を一々選択するより便利である。また、前述したように、ふたつの客体の間には複数個の関係客体が存在し得、複数個の関係客体のうち一部だけ選択して編集することも可能である（結果的に選択される客体は同一であるが、編集される客体と選択された客体との間の関係が特定される効果がある）。
【００５３】
関係客体を用いて組合せ情報を編集する二つ目の方法は、新規関係の生成を介して組合せ情報を構成することである。例えば、「Ｍｅｇａｂｏｘ」客体１１０４と「ｊ  ｃｏｎｔｅｎｔｒｅｅ  ｃｏ．」客体１１０６との間の新規関係を生成（関係客体Ｒ２を生成）することができる。
例えば、使用者は関係客体Ｒ１選択及びＲ２新規生成により組合せ情報を編集する場合、５個の客体を選択して組合せ情報を編集する効果が発生することとなる。さらに、選択された関係客体が全てＳＯＩ客体である場合は、選択された客体全体を包括する新規ＳＯＩが生成可能である。
【００５４】
図１２は、本発明の他の実施例に基づく組合せ情報の生成装置を示す。図１２に示された組合せ情報生成装置の構成要素は、その遂行する機能の同一／類似性に従い図６に示された組合せ情報生成装置６００の構成要素に対応され得る。例えば、図１２に示された主題生成部１２１０は図６に示された最上位客体生成部６３０に対応され得る。
【００５５】
図１２に示された組合せ情報生成装置は、主題生成部１２１０、導入／結論制作部１２２０、関係編集部１２３０、関係確定部１２４０を含むことができる。導入／結論製作部は、それぞれ導入製作部１２２１、結論製作部１２２２を別途備えることができる。さらに、前述したように導入／結論製作部は省略されてもよい。
【００５６】
関係編集部１２３０は、関係客体選択部１２３１、関係客体生成部１２３２、関係客体承継部１２３３、ＳＯＩ生成部１２３４を含むことができる。関係客体選択部１２３１は、既存の関係選択に基づいた組合せ情報の編集を行い、関係客体生成部１２３２は新たな関係生成に基づいた組合せ情報編集を行う。既存関係の選択と新規関係の生成を複合的に利用して組合せ情報を編集することができる点は図１１を参照して前述した通りである。
【００５７】
関係客体承継部１２３３は、関係客体に直接連結された少なくとも二つの客体が含む他の関係客体により拡張される、即ち間接的に連結される客体または関係客体に対する情報を承継する。上位関係により下位関係は承継を受けることができ、当該関係で関係客体に連結されたＳＯＩ及びコンテンツは限定されてもよい。
【００５８】
ＳＯＩ生成部１２３４は、複数個のＳＯＩを関係客体に連結した後連結されたＳＯＩ全体を新たなＳＯＩに生成することができる。ＳＯＩ客体とＳＯＩ客体が連結された場合は、新たなＳＯＩを生成することができるが、コンテンツとＳＯＩが連結された場合は新たなＳＯＩを生成することができない（ＳＯＩは点、線、面、空間の特徴を有しているので、これはＳＯＩの性質に照らして当然である）。コンテンツとＳＯＩが連結された場合は、単純連結としてコンテンツにＳＯＩが連結される。
【００５９】
関係確定部１２４０は既存の関係選択及び／又は新規関係の生成を介して生成される少なくとも二つの客体の間の関係、即ち関係客体を確定する。関係情報、両方向連結のための識別子情報だけでなく、生成時間等のような一般的な情報らが関係客体に含まれ得る。
【００６０】
図１３は、ナビゲーションデバイスで組合せ情報を提供する例示的な方法を示す図である。図１３を参照すれば、ナビゲーションデバイス２００は経路案内サービス、地図サービス等を提供することができる。サービス画面で、使用者によりＳＯＩ１が選択１される。選択に応じて第１情報２が提供される。第１情報２はＳＯＩ基本情報、ＳＯＩ付加属性、及び組合せ情報を含むことができる。ＳＯＩ基本情報は、ＳＯＩの位置情報、ＳＯＩ形状情報、ＳＯＩ識別情報等ＳＯＩを特定する基本情報を含むことができる。ＳＯＩ付加属性はＳＯＩに対応する電話番号で電話、当該ＳＯＩを出発地／到着地に設定等が提供され得る。
【００６１】
組合せ情報は、選択１されたＳＯＩ１に基づき、図４ないし図５で説明した方法で把握され、組合せ情報処理部２４０で処理されて提供され得る。使用者が組合せ情報の項目を選択すれば、ＳＯＩ１と関連する最上位客体の目録である第２情報３が提供され得る。本例示では、ＳＯＩ１は３個のテーマと関連する。使用者によりＴｈｅｍｅ１が選択されれば、Ｔｈｅｍｅ１と関係客体に連結され、下位に位置する導入、本文、結論コンテンツを含む（導入／結論コンテンツは省略可能）第３情報４が提供される。例えば、使用者が本文のｃｏｎｔｅｎｔ２を選択した場合、ｃｏｎｔｅｎｔ２と関係客体に連結され下位構造に位置する客体を含む第４情報５が提供される。第４情報５には、下位コンテンツｃｏｎｔｅｎｔＡ、Ｂだけでなく、最初のＳＯＩ１が含まれ得る。また、最下位客体を提供する第５情報６はＳＯＩ客体だけで構成される。
【００６２】
前述した段階は縮小されるか、または拡張されてもよい。また、各段階で提供される客体のうちＳＯＩ客体を選択した場合、第２情報に該当する段階が反復的に提供され得る。例えば、第５情報６段階でＳＯＩ２客体を選択した場合、ＳＯＩ２に対応する第２情報、即ちＳＯＩ２の基本情報、ＳＯＩ２の付加属性、ＳＯＩ２の組合せ情報らが提供され得る。
【００６３】
一方、前述したような本発明の方法は、コンピュータプログラムで作成が可能である。そして、前記プログラムを構成するコード及びコードセグメントは当該分野のコンピュータプログラマーにより容易に推論することができる。また、前記作成されたプログラムは、コンピュータが読み込める記録媒体（情報保存媒体）に保存され、コンピュータにより判読され実行されることにより、本発明の方法を具現する。そして、前記記録媒体はコンピュータが判読できる全ての形態の記録媒体を含む。
【００６４】
以上で説明した本発明は、本発明の属する技術分野において通常の知識を有する者にとって本発明の技術的思想を外れない範囲内で幾多の置換、変形及び変更が可能である。また、本発明は、前述した実施例及び添付された図により限定されるものではない。
【図１】
2013156988.tif 000003
【図２】
2013156988.tif 000004
【図３】
2013156988.tif 000005
【図４】
2013156988.tif 000006
【図５】
2013156988.tif 000007
【図６】
2013156988.tif 000008
【図７】
2013156988.tif 000009
【図８】
2013156988.tif 000010
【図９】
2013156988.tif 000011
【図１０】
2013156988.tif 000012
【図１１】
2013156988.tif 000013
【図１２】
2013156988.tif 000014
【図１３】
2013156988.tif 000015